(57)【要約】      （修正有）【課題】理容院、美容院等に設置して洗髪を行なう際に、被洗髪者が仰向けになって首部を当てる受水容器の縁部で首部を損傷しないように保護するようにしたクッションクロスを提供する。【解決手段】防水性を有する材料で形成されると共に少なくとも上半身を覆う面積を有する本体カバー２の首部の上方に折り返し可能な折返しカバー４を設け、前記本体カバー２と前記折返しカバー４の境であって首部３の後部に面ファスナー５ａを設けると共に、弾性を有するクッション部材６に設けられた面ファスナー５ｂによって前記本体カバー２と前記折返しカバー４の境の面ファスナー５ａに前記クッション部材６を着脱自在に付設するようにした。【選択図】図２
0003107289.tif 000002
【実用新案登録請求の範囲】
【請求項１】
防水性を有する材料で形成されると共に少なくとも上半身を覆う面積を有する本体カバーの首部の上方に折り返し可能な折返しカバーを設け、前記本体カバーと前記折返しカバーの境であって首部の後部に面ファスナーを設けると共に、弾性を有するクッション部材に設けられた面ファスナーによって前記本体カバーと前記折返しカバーの境の面ファスナーに前記クッション部材を着脱自在に付設するようにしたことを特徴とするクッションクロス。
【考案の詳細な説明】
【技術分野】
【０００１】  本考案は、理容院、美容院等に設置して洗髪を行なう際に、被洗髪者が首部を当てる受水容器の縁部で首部を損傷しないように保護するようにしたクッションクロスに関する。
【背景技術】
【０００２】  理容院、美容院等においては、洗髪の際、被洗髪者を仰向けにして、首部を受水容器の縁部に当てて洗髪することが行われている。このとき、受水容器の縁部に折りたたんだタオルを当てることによって、被洗髪者の首部を損傷しないようにしている。【０００３】  しかしながら、上記のタオルでは、折りたたんだりする作業が面倒であり、受水容器内の水で水分を吸収したり、この水分が首部に付着したりして被洗髪者に不快感を与えることがあり、また折りたたんだタオルでは首部の保護に不十分であるという問題があった。【０００４】  そこで、従来技術を調査したところ、特許文献１に記載のものがあった。ところが、この文献に記載されたものは、形状を受水容器前面の溝にすっぽり跨る鞍型とし、振動により頭部、首部及び肩部をマッサージするため複数の小型バイブレーターであって、首部のマッサージのためのものであり、上記のように仰向けにした被洗髪者の首部を保護するものではなかった。
【特許文献１】特開平８−１３１２３２号公報
【考案の開示】
【考案が解決しようとする課題】
【０００５】  本考案は上記のような事情に鑑みてなされたもので、理容院、美容院等に設置して洗髪を行なう際に、被洗髪者が仰向けになって首部を当てる受水容器の縁部で首部を損傷しないように保護するようにしたクッションクロスを提供することを目的とする。
【課題を解決するための手段】
【０００６】  上記の目的を達成するため、本考案の請求項１のクッションクロスは、防水性を有する材料で形成されると共に少なくとも上半身を覆う面積を有する本体カバーの首部の上方に折り返し可能な折返しカバーを設け、前記本体カバーと前記折返しカバーの境であって首部の後部に面ファスナーを設けると共に、弾性を有するクッション部材に設けられた面ファスナーによって前記本体カバーと前記折返しカバーの境の面ファスナーに前記クッション部材を着脱自在に付設するようにしたことを特徴とする。
【考案の効果】
【０００７】  本考案のクッションクロスによれば、理容院、美容院等において、被洗髪者を仰向けにして、首部を受水容器の縁部に当てて洗髪する際、本考案によるクッションクロスを着用し、首部の後部にクッション部材が当たるようにし、さらに折返しカバーを下方へ折り返すことによって該折返しカバーでクッション部材を覆うことができる。【０００８】  従って、被洗髪者が首部を受水容器の縁部に当てたとき、被洗髪者の首部はクッション部材を介して保護された状態となり、さらにクッション部材は折返しカバーによって受水容器内の水によって濡れることがなくなく、被洗髪者にも不快感を与えることなく快適に使用することが可能となる。
【考案を実施するための最良の形態】
【０００９】  以下、本考案の実施例について図面を参照しながら説明する。
【実施例１】
【００１０】  本考案のクッションクロス１は、図１に示すように、防水性を有する材料で形成されると共に少なくとも上半身を覆う面積を有する本体カバー２の首部３の上方に折り返し可能な折返しカバー４を設け、本体カバー２と折返しカバー４の境であって首部３の後部に面ファスナー５ａを設けると共に、弾性を有するクッション部材６に設けられた面ファスナー５ｂによって本体カバー２と折返しカバー４の境の面ファスナー５ａにクッション部材６を着脱自在に付設するようにしたものである。【００１１】  このようなクッションクロス１の構成について詳細に述べると、図１に示すように、本体カバー２は、少なくとも上半身を覆う面積を有する。この本体カバー２を形成する防水性を有する材料として、例えば、ポリオレフィン系樹脂やナイロン樹脂等の合成樹脂等なシート材が使用されている。【００１２】  また、本体カバー２の首部３の上方に設けられた折り返し可能な折返しカバー４も本体カバー２と同様に防水性を有する材料で形成されている。【００１３】  このような材料によって、本実施例のクッションクロス１は、少なくとも上半身を覆う面積を有する本体カバー２の首部３を絞った状態にして、該首部の上方に折り返し可能な折返しカバー４が設けられている。また、本体カバー２と折返しカバー４の境であって首部３の後部には面ファスナー５ａが設けられている。【００１４】  一方、図２に示すように、空気を封入し、又は弾性を有する合成樹脂材等により形成された弾性のクッション部材６にも面ファスナー５ｂが設けられ、クッション部材６の面ファスナー５ｂによって本体カバー２と折返しカバー４の境の面ファスナー５ａに着脱自在に付設するようにしている。【００１５】  このようなクッションクロスによれば、被洗髪者が本考案によるクッションクロス１を着用し、首部の後部にクッション部材６が当たるようにし、さらに折返しカバー４を下方へ折り返すことによって該折返しカバー４でクッション部材６を覆うことができる。【００１６】  従って、被洗髪者が首部を受水容器の縁部に当てたとき、被洗髪者の首部はクッション部材６を介して保護された状態となり、さらにクッション部材６は折返しカバー４によって受水容器等の水によって濡れることがなくなく、被洗髪者にも不快感を与えることなく快適に使用することが可能となる。
【産業上の利用可能性】
【００１７】  本考案のクッションクロスは、理容院、美容院等に設置して洗髪を行なう際に、被洗髪者が首部を当てる受水容器の縁部で首部を損傷しないように保護すると共に、首部保護のためのクッション部材が受水容器等の水で濡れないように保護するようにしたクッションクロスとして利用可能である。
【図面の簡単な説明】
【００１８】
【図１】本考案によるクッションクロスの全体斜視図である。
【図２】本考案によるクッションクロスにおいてクッション部材を取り外した状態を示す全体斜視図である。
【図３】本考案によるクッションクロスを着用した状態を示す図である。
【符号の説明】
【００１９】１…クッションクロス
２…本体カバー
３…首部
４…折返しカバー
５ａ、５ｂ…面ファスナー
６…クッション部材
【図１】
0003107289.tif 000003
【図２】
0003107289.tif 000004
【図３】
0003107289.tif 000005